(57)【要約】【課題】空気の衝突流れを低減し、低騒音かつ高効率な遠心送風機を提供する。【解決手段】主板２とシュラウド３と複数の羽根板４からなる羽根車１と、前記羽根車１を内包するケーシング６と、前記ケーシング６に取り付けられた吸い込みベルマウス７とを備え、前記羽根板４の前縁部４ａに、厚みが前記羽根板４のそれと同一でかつ三角形状の平板４ｃを一体に形成し、前記平板４ｃの一辺を前記羽根板４の前縁部４ａの前記シュラウド３寄りに密着させたもので、吸い込みベルマウス７の下流側の流れが、羽根板４に早くかつスムーズに流入するようになり、流入する流れに乱れが少なくなり、騒音の低い遠心送風機を提供することができる。【選択図】図１
2005307868.tif 000002
【特許請求の範囲】
【請求項１】
主板とシュラウドと複数の羽根板からなる羽根車と、前記羽根車を内包するケーシングと、前記ケーシングに取り付けられた吸い込みベルマウスとを備え、前記羽根板の前縁部に、厚みが前記羽根板のそれと同一でかつ三角形状の平板を一体に形成し、前記平板の一辺を前記前縁部の前記シュラウド寄りに密着させたことを特徴とした遠心送風機。
【請求項２】
平板の端面に丸みをもたせたことを特徴とする請求項１記載の遠心送風機。
【発明の詳細な説明】
【技術分野】
【０００１】
本発明は、空気調和機などに用いられる遠心送風機に関するもので、特に遠心送風機の低騒音化に関するものである。
【背景技術】
【０００２】
従来の遠心送風機について図３を用いて説明する。
【０００３】
図において、１は羽根車であり、主板２、シュラウド３および複数の羽根板４より構成されている。羽根板４の前縁部４ａと後縁部４ｂはほぼ平行に形成されている。モータ５は羽根車１に直結したモータであり、羽根車１とモータ５を内包するケーシング６に弾性的に固定されている。７は吸い込みベルマウスであり、ケーシング６に設けた吸い込み口６ａにその先端が挿入され、モータ５の取り付け脚５ａに対して同心状位置に設けた取り付けねじ穴８と吸い込みベルマウス７の中心に対して前記ねじ穴８と同径の同心円上に設けた穴７ａとねじ９で固定されている。
【０００４】
上記構成により、モータ５を駆動して羽根車１を回転させると、図４に示すように、空気はほぼ軸方向に吸い込みベルマウス７から吸い込まれ、羽根車１の羽根板４によって昇圧され、径方向に羽根車１から吹き出される（例えば、特許文献１参照）。
【特許文献１】実公平６−２９５１９号公報
【発明の開示】
【発明が解決しようとする課題】
【０００５】
しかしながら、従来の遠心送風機の構成によると、羽根車１の回転の際、図４で空気の流れと速度を矢印で示すように、羽根板４の高さ方向に生じる速度分布は、シュラウド３側ほど速度が大きく、羽根板４の前縁部４ａでの流れの剥離が生じやすくなっている。特にシュラウド３側における吸い込みベルマウス７の下流側の端面付近での流れの乱れと剥離とその乱れた流れがシュラウド３側の羽根板の前縁部４ａに吸い込まれ、衝突することから、再び羽根板４の前縁部４ａでの流れの乱れが生じ、騒音が発生しやすく、また羽根車の性能損失にもつながるといった課題を有していた。
【０００６】
本発明はこのような従来の課題を解決するものであり、羽根車の吸い込み流れの乱れを低減し、低騒音かつ効率の良い遠心送風機を提供することを目的とする。
【課題を解決するための手段】
【０００７】
上記課題を解決するために、本発明の遠心送風機は、主板とシュラウドと複数の羽根板からなる羽根車と、前記羽根車を内包するケーシングと、前記ケーシングに取り付けられた吸い込みベルマウスとを備え、前記羽根板の前縁部に、厚みが前記羽根板のそれと同一でかつ三角形状の平板を一体に形成し、前記平板の一辺を前記前縁部の前記シュラウド寄りに密着させたもので、吸い込みベルマウス下流側の流れが、羽根板に早くかつスムーズに流入するようになり、流入する空気の流れに乱れが少なくなり、騒音が低く、性能が向上した遠心送風機を提供することができる。
【発明の効果】
【０００８】
本発明の遠心送風機は、流入する空気の流れに乱れが少なく、低騒音でかつ性能が良いものである。
【発明を実施するための最良の形態】
【０００９】
第１の発明は、主板とシュラウドと複数の羽根板からなる羽根車と、前記羽根車を内包するケーシングと、前記ケーシングに取り付けられた吸い込みベルマウスとを備え、前記羽根板の前縁部に、厚みが前記羽根板のそれと同一でかつ三角形状の平板を一体に形成し、前記平板の一辺を前記前縁部の前記シュラウド寄りに密着させたもので、吸い込みベルマウス下流側の流れが、羽根板に早くかつスムーズに流入するようになり、流入する空気の流れに乱れが少なくなり、騒音が低く、性能が向上した遠心送風機を提供することができる。
【００１０】
第２の発明は、特に、第１の発明の平板の端面に丸みをもたせたもので、更に吸い込みベルマウスから羽根車に流入する際の流れの乱れ騒音を抑制することが出来る。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における遠心送風機の断面図である。なお、従来例と同一部分については、同一符号を付してその説明を省略する。
【００１３】
図１において、羽根車１は、主板２、シュラウド３および複数の羽根板４より構成されている。羽根板４のシュラウド３側の前縁部４ａには、羽根板４とほぼ同一の厚みを有し三角形の平板４ｃが羽根板４に沿って羽根車１の中心方向へ突出して一体に設けられ、三角形の一辺は羽根板４の前縁部４ａのシュラウド３寄りに密着している。
【００１４】
モータ５は羽根車１に直結したモータであり、羽根車１、モータ５を内包するケーシング６に弾性的に固定されている。吸い込みベルマウス７は、ケーシング６に設けた吸い込み口６ａに先端を挿入され、モータ５の取り付け脚５ａに対して同心状位置に設けた取り付けねじ穴８と吸い込みベルマウス７の中心に対して前記ねじ穴８と同径の同心円上に設けた穴７ａとねじ９で固定されている。
【００１５】
次に、上記構成による遠心送風機の動作、作用について図２を用いて説明する。
【００１６】
基本的な動作は、従来例と同様で、モータ５の駆動により羽根車１は回転し、空気はほぼ軸方向に吸い込みベルマウス７の案内によって吸い込まれ、羽根車１へ流入し、羽根板４によって昇圧され、径方向に羽根車１から吹き出される。
【００１７】
その際、まず、吸い込みベルマウス７の下流側端面からの流れは、一旦吸い込みベルマウス７から剥離し、その後シュラウド３の案内によって、羽根車１に導かれる。従来は吸い込みベルマウス７から剥離した流れが羽根板４の前縁部４ａに直接衝突していたが、本実施の形態では、羽根板４の前縁部４ａに三角形の平板４ｃがあるため、吸い込みベルマウス７の端面から羽根板４の前縁部４ａまでの距離を極力短くすることができ、吸い込みベルマウス７の剥離流れを成長させることなく、羽根車１に流入させることができる。
【００１８】
特に吸い込みベルマウス７の下流側端面部からの剥離による流れの乱れを最小限に抑えた流れを早く三角形の平板４ｃに沿って付着させることができるので、羽根車１への空気の流入の際の剥離による損失や羽根への衝突騒音を下げることが出来る。また、平板４ｃにより羽根板４の面積が増えるので、羽根車１の翼面積（翼素）を増やすことが出来、羽根車１の総合的な性能を向上させることが出来る。
【００１９】
また、前記三角形の平板４ｃの端面に丸みをもたせようにすれば、更に吸い込みベルマウス７から羽根車１に流入する際の流れの乱れ騒音を抑制することもできる。
【産業上の利用可能性】
【００２０】
本発明にかかる遠心送風機は、流入する空気の流れに乱れが少ないので、騒音が低く、性能も向上するので、遠心送風機を搭載する空気調和機、送風機、換気装置、燃焼装置、乾燥装置など各種機器に適用できる。
【図面の簡単な説明】
【００２１】
【図１】本発明の実施の形態１における遠心送風機の断面図
【図２】同遠心送風機の要部拡大断面図
【図３】従来の遠心送風機の断面図
【図４】同遠心送風機の要部拡大断面図
【符号の説明】
【００２２】
１  羽根車
２  主板
３  シュラウド
４  羽根板
４ａ  前縁部
４ｃ  平板
６  ケーシング
７  吸い込みベルマウス
【図１】
2005307868.tif 000003
【図２】
2005307868.tif 000004
【図３】
2005307868.tif 000005
【図４】
2005307868.tif 000006